(57)【要約】【課題】  ＰＨＳを使用した従来例のテレメータリングシステムは、大量のデータを高速で処理することが可能であるが、使用する機器が高価であり、通信コストが嵩むために広く普及する状況には無い。ＰＨＳで処理する程のデータ量は必要ない分野において、安い費用で構築が出来て運用コストが安価なテレメータリングシステムの実現が求められている。【解決手段】  本発明は、特定小電力無線通信を使用した通信を行う無線通信システムと、Ｂｌｕｅｔｏｏｔｈ通信カードとを使用して通信を行う無線通信システムの間に、特定小電力無線通信プロトコールとＢｌｕｅｔｏｏｔｈのプロトコールの変換を行う無線通信プロトコール変換機を介在させることにより、特定小電力無線通信を行う無線通信システムと、Ｂｌｕｅｔｏｏｔｈの無線通信システムの間で通信を行うことを可能にしたテレメータリングシステムを実現することにより、従来のテレメータリングシステムの問題点を解決したものである。【選択図】              図１
2006054682.tif 000002
【特許請求の範囲】
【請求項１】
特定小電力無線通信を使用した通信を行う第一の無線通信システムと、
無線通信規格Ｂｌｕｅｔｏｏｔｈ に準拠した通信カードとを使用して通信を行う第二の無線通信システムの間に、
特定小電力無線通信プロトコールとＢｌｕｅｔｏｏｔｈのプロトコールの変換を行う機能を持った無線通信プロトコール変換機を介在させることにより、
特定小電力無線通信を行う第一の無線通信システムと、無線通信規格Ｂｌｕｅｔｏｏｔｈ に準拠した通信を行う第ニの無線通信システムの間で通信を行うよことを可能にしたテレメータリングシステム。
【請求項２】
ガス、水道、電力等の使用量を示すメータや空調設備の遠隔御機器等に装着された特定小電力無線子機、
特定小電力無線子機と信号の送受信を行う特定小電力無線親機と無線通信規格Ｂｌｕｅｔｏｏｔｈ に準拠した通信カードとを具備し、特定小電力無線通信プロトコールとＢｌｕｅｔｏｏｔｈのプロトコールの変換を行う機能を持った無線通信プロトコール変換機、
無線通信規格Ｂｌｕｅｔｏｏｔｈ に準拠した通信カードを搭載したパーソナルコンピュータや携帯電話等のデータ処理機器、よりなり
ガス、水道、電力等の使用量を示すメータや空調設備の遠隔御機器等と無線通信プロトコール変換機との間では特定小電力無線通信により通信を行い、
パーソナルコンピュータや携帯電話等のデータ処理機器と無線通信プロトコール変換機との間でＢｌｕｅｔｏｏｔｈによるワイヤレス・データ通信を行うようにしたテレメータリングシステム
【請求項３】
ガス、水道、電力等の使用量を示すメータに装着された特定小電力無線子機、
特定小電力無線子機と信号の送受信を行う特定小電力無線親機機能と無線通信規格Ｂｌｕｅｔｏｏｔｈ に準拠した通信カードとを具備し、特定小電力無線通信プロトコールとＢｌｕｅｔｏｏｔｈのプロトコールの変換を行う機能を持った無線通信プロトコール変換機、
無線通信規格Ｂｌｕｅｔｏｏｔｈ に準拠した通信機能を搭載した携帯端末本体と、ガス、水道、電力等の供給会社のホストコンピュータ、
よりなり
ガス、水道、電力等の使用量を示すメータと無線通信プロトコール変換機との間では特定小電力無線通信により通信を行い、
ホストコンピュータから携帯端末本体への検針用ユーザーデータのダウンロードと検針作業終了後の携帯端末の検針データのホストコンピュータへのアッブロードをＢｌｕｅｔｏｏｔｈによるワイヤレス・データ通信により行うようにしたテレメータリングシステムを使用した無線検針システム
【請求項４】
ガス、水道、電力等の使用量を示すメータに装着された特定小電力無線子機、
特定小電力無線子機と信号の送受信を行う特定小電力無線親機機能と無線通信規格Ｂｌｕｅｔｏｏｔｈ に準拠した通信カードとを具備し、特定小電力無線通信プロトコールとＢｌｕｅｔｏｏｔｈのプロトコールの変換を行う機能を持った無線通信プロトコール変換機、
無線通信規格Ｂｌｕｅｔｏｏｔｈ に準拠した通信カードを搭載した携帯端末本体や携帯端末のデータを印字するプリンタ、ガス、水道、電力等の供給会社のホストコンピュータ、
よりなり
ガス、水道、電力等の使用量を示すメータや空調設備の遠隔御機器等と無線通信プロトコール変換機との間では特定小電力無線通信により通信を行い、
携帯端末からそのデータを印字するプリンタへの印字データの伝送と、
ホストコンピュータから携帯端末本体への検針用ユーザーデータのダウンロードと検針作業終了後の携帯端末の検針データのホストコンピュータへのアッブロードをＢｌｕｅｔｏｏｔｈによるワイヤレス・データ通信により行うようにしたテレメータリングシステムを使用した無線検針システム
【発明の詳細な説明】
【技術分野】
【０００１】
本発明は、水道メータ無線検針や空調設備の遠隔御等に使用されるテレメータリングシステムに関するものである。
本発明のテレメータリングシステムは、特定小電力無線通信とＢｌｕｅｔｏｏｔｈによるワイヤレス・データ通信を組み合わせて使用することにより、安価で汎用性のあるテレメータリングシステムを実現したものである。
【背景技術】
【０００２】
ガス、水道、電力等の使用量を示す各種メータの検針を行う業務においては、検針員による訪問目視検針が容易でない環境に設置されているメータ検針作業を容易にするために、無線通信機器を利用した無線検針テレメータリングシステムが使用され始めている。又、空調設備の遠隔御等にPHS、を使ったテレメータリングシステムが提案されている。
従来例のテレメータリングシステムを使用した無線検針システムは、無線親機に接続された携帯端末と水道メータ等に接続される、無線子機との間で特定小電力無線通信によりデータの交換を行うようにしたシステムが実用化されているが、水道メータ等に接続される、無線子機は、計量法のメータの交換サイクルである、8年〜10年等  交換する事なく運用出来る事が要求される。
【０００３】
一方、携帯端末側は、ＩＣ、ＩＴ技術の進歩に合わせ、日々更新され、新しい機能のものが開発されているため、メータの交換サイクルに比べて短期間で機器の更新が行われているが、無線親機内蔵の携帯端末では無線子機間のプロトコールが固定される為に携帯端末側の更新が容易でないという問題がある。
このため、技術の進歩に合わせた更新が容易な携帯端末の実現が求められており、その一つとしてＰＨＳ、を使ったテレメータリングシステムが提案されている。                    ＰＨＳ、を使ったテレメータリングシステムは、図２に示すように、自動検針にガス、水道、電力等の使用量を示すメータにPHS対応の機器を設置され、又、遠隔操作のために空調設備等の御機器等にＰＨＳの子機が装着されている。これらメータや御機器等の現場機器からの情報をＰＨＳの子機を介してＰＨＳの親機に集めて、公衆電話回線を通してデータ管理センターのコンピュータに集めるとともに、ガス、水道、電力等の使用量を示すメータや空調設備の遠隔制御機器等と通信を行うようにしたシステムである。
【０００４】
【特許文献１】特開平９−３４２７１８号公報，
【特許文献２】特開平１１−１７７５６４号公報，
【発明の開示】
【発明が解決しようとする課題】
【０００５】
図２に示すような、ＰＨＳを使用した従来例のテレメータリングシステムは、大量のデータを高速で処理することが可能であるが、使用する機器が高価であり、通信コストが嵩むために広く普及する状況には無い。
テレメータリングシステムにおいて、ＰＨＳで処理する程のデータ量は必要ない分野において、安い費用で構築が出来て運用コストが安価なテレメータリングシステムの実現が求められている。
【課題を解決するための手段】
【０００６】
本発明は、特定小電力無線通信を使用した通信を行う第一の無線通信システムと、無線通信規格Ｂｌｕｅｔｏｏｔｈ に準拠した通信カードを使用して通信を行う第二の無線通信システムの間に、特定小電力無線通信プロトコールとＢｌｕｅｔｏｏｔｈのプロトコールの変換を行う機能を持った無線通信プロトコール変換機を介在させることにより、特定小電力無線通信を行う第一の無線通信システムと、無線通信規格Ｂｌｕｅｔｏｏｔｈ
に準拠した通信を行う第ニの無線通信システムの間で通信を行うよことを可能にしたテレメータリングシステムを実現することにより、ＰＣや携帯電話、携帯端末等に搭載されるＢｌｕｅｔｏｏｔｈ機能を利用して安価なテレメータリングシステムを構築出来ようにし従来のテレメータリングシステムの問題点を解決したものである。
【発明の効果】
【０００７】
本発明のテレメータリングシステムは、小型な  Ｂｌｕｅｔｏｏｔｈと特定小電力無線コマンドの変換機を実現した事により、Ｂｌｕｅｔｏｏｔｈの通信カードを搭載したデータ処理機器と特定小電力無線との間で安価なテレメータリングシステムを実現することが出来る。
本発明のテレメータリングシステムに使用される特定小電力無線通信機器、Ｂｌｕｅｔｏｏｔｈに準拠した通信カードの要素部品、ＰＣや携帯電話、携帯端末等は、最近各種の分野で広く使用されるようになり、安定した性能の製品が容易に安価で入手することが可能になっているので、安い費用でテレメータリングシステムを実現することが可能である。
又、本発明のテレメータリングシステムに使用される特定小電力無線通信機器や、Ｂｌｕｅｔｏｏｔｈに準拠した通信カードを使用した通信には、通信コストが不要であるため、そのランニングコストが極めて安くなる。
本発明のテレメータリングシステムは、ＰＨＳで処理する程のデータ量は必要なく、安価なシステムの要求のある、自動販売機での売上機種管理、パチンコ店でのつり銭の管理などの広い分野での応用が可能である。  
【発明を実施するための最良の形態】
【０００８】
以下、本発明のテレメータリングシステムの実施形態について説明する。
図１は、本発明のテレメータリングシステムの構成例を示す説明図である。
図１において、１０はパーソナルコンピュータやホストコンピュータ等のデータ処理機器、２０はＢｌｕｅｔｏｏｔｈで無線通信規格Ｂｌｕｅｔｏｏｔｈ
に準拠した通信カードである。
Ｂｌｕｅｔｏｏｔｈは、最近パソコンなどの各種のデータ処理機器に搭載されるようになってきた無線通信規格Ｂｌｕｅｔｏｏｔｈh に準拠した無線通信方式でＢｌｕｅｔｏｏｔｈ搭載機器のでデータの転送や同期化が可能で、ピア・トゥ・ピア型の簡易ワイヤレス・ネットワークを実現出来る。
７０は携帯端末、８０はデータ処理機器１０や携帯端末７０のデータのプリントを行うプリンタである。
パーソナルコンピュータ等のデータ処理機器１０、携帯端末７０、プリンタ８０には、Ｂｌｕｅｔｏｏｔｈに準拠した通信カード２０が搭載されている。
３０は特定小電力無線子機と信号の送受信を行う特定小電力無線親機と無線通信規格Ｂｌｕｅｔｏｏｔｈ に準拠した通信カード２０とを具備し、特定小電力無線通信プロトコールとＢｌｕｅｔｏｏｔｈのプロトコールの変換を行う機能を持った無線通信プロトコール変換機、４０は無線子機である。
【０００９】
５０は水道、電力等の使用量を計測するメータである。６０は空調設備の遠隔御機器である。メータ５０と空調設備の遠隔御機器６０には無線子機４０が接続されている。
無線子機４０は、特小無線を内蔵し、ガス、水道、電力等の使用量を示す各種メータ５０や空調設備の遠隔御機器６０等に取り付けられ、これらの機器のデータを特定小電力無線により無線通信プロトコール変換機３０の無線親機との間で特定小電力無線により送受信を行う。
特定小電力無線は、429ＭＨｚ帯の電波を使い、10ｍＷ以下の微小電力電波で通信を行う通信方式で、水道メータ２０等に接続される、無線子機４０に搭載されるリチュウム電池により、計量法のメータの交換サイクルである、８年〜１０年間交換する事なく運用が可能であるため無線検針に使用されている。
【００１０】
このように構成された、  図１のテレメータリングシステムの動作を以下に説明する。
パーソナルコンピュータや携帯電話等のデータ処理機器１０とガス、水道、電力等の使用量を示すメータ５０や空調設備の遠隔御機器等６０との間でデータ通信を行う場合、パーソナルコンピュータや携帯電話等のデータ処理機器１０より、無線通信プロトコール変換機３０に対してＢｌｕｅｔｏｏｔｈのプロトコールにより、通信の相手先の例えばガス、水道、電力等の使用量を示すメータ５０を指定して検針データの送信を要求する信号を送信する。無線通信プロトコール変換機３０はデータ処理機器１０より送信されたＢｌｕｅｔｏｏｔｈのプロトコールの信号を特定小電力無線のプロトコールの無線信号に変換してメータ５０に対して送信する。
特定小電力無線のプロトコールの無線信号による検針データの送信を要求する信号を受信したメータ５０は、その要求に従って検針データを特定小電力無線のプロトコールの無線信号により無線通信プロトコール変換機３０に対して送信する。無線通信プロトコール変換機３０はメータ５０より送信された特定小電力無線のプロトコールの信号をＢｌｕｅｔｏｏｔｈのプロトコールの無線信号に変換してデータ処理機器１０に対して送信する。
【００１１】
このようにして、Ｂｌｕｅｔｏｏｔｈの通信カードとを具備したデータ処理機器１０と特定小電力無線の子機に接続されたメータ５０との間でデータ通信が可能になる。
Ｂｌｕｅｔｏｏｔｈの通信カードとを具備したデータ処理機器１０と特定小電力無線の子機に接続された空調設備の遠隔御機器６０との間でデータ通信も上記と同様の方法により無線通信プロトコール変換機３０を介して行うことが出来る。
携帯端末による検針作業を行う場合には、ガス、水道、電力等の供給会社のホストコンピュータ１０より、その携帯端末の使用者の担当する検針地域のユーザーのデータを携帯端末７０のメモリーにダウンロードする。
ホストコンピュータ１０にもＢｌｕｅｔｏｏｔｈ２０が搭載されているので、携帯端末７０へのユーザーのデータのダウンロードはＢｌｕｅｔｏｏｔｈを介してワイヤレス・データ通信により行われる。
ホストコンピュータ１０より携帯端末７０にダウンロードされるデータは、
１．ユーザーの料金の支払いの形態（銀行口座からの引落の契約を行なっている
か否か）
２．ユーザーの料金の支払いの未払い料金はあるか、もしあれば何カ月支払いが  行われていないか等のユーザーのデータがダウンロードされる。
このために、ホストコンピュータの原データより、携帯端末のデータの抽出が行われる。
【００１２】
全ての業務を終了した携帯端末７０のメモリーには検針作業結果のデータが保存されているので、このデータはＢｌｕｅｔｏｏｔｈ２０を介してワイヤレス・データ通信によりホストコンピュータ１０にアップロードされる。
検針データのホストコンピュータ１０へのアップロードはＢｌｕｅｔｏｏｔｈを介してワイヤレス・データ通信により行われるので、ホストコンピュータ１０と携帯端末７０とのケーブルによる接続作業が不要になるため、迅速なアップロードを行うことが出来る。
又、ホストコンピュータ１０のデータや携帯端末７０の検針データをプリントする場合には、プリントデータがＢｌｕｅｔｏｏｔｈ２０を介してワイヤレス・データ通信により、プリンタ８０に伝送され、ケーブルによる接続作業が不要になるため、迅速なプリント作業を行うことが可能になる。
【００１３】
本発明のテレメータリングシステムに使用される特定小電力無線通信機器や、Ｂｌｕｅｔｏｏｔｈに準拠した通信カードの要素部品は、最近各種の分野で広く使用されるようになり、安定した性能の製品が容易に安価で入手することが可能になっているので、安い費用でテレメータリングシステムを実現することが可能である。
本発明のテレメータリングシステムに使用される特定小電力無線通信機器や、Ｂｌｕｅｔｏｏｔｈに準拠した通信カードの要素部品は、最近各種の分野で広く使用されるようになり、安定した性能の製品が容易に安価で入手することが可能になっているので、安定した使い勝手の良いテレメータリングシステムを容易に実現することが可能である。
又、本発明のテレメータリングシステムに使用される特定小電力無線通信機器や、Ｂｌｕｅｔｏｏｔｈに準拠した通信カードを使用した通信には、通信コストが不要であるため、そのランニングコストが極めて安くなる。
又、水道メータ等に接続される、無線子機は、計量法のメータの交換サイクルである、8年〜10年等交換する事なく運用出来る事が要求され、一方、携帯端末側は、ＩＣ、ＩＴ技術の進歩に合わせ、日々更新され、新しい機能のものが開発されているため、携帯端末の更新、携帯用プリンタの更新サイクルは短くなっているが、本発明のテレメータリングシステムは、この交換サイクルが長いメータと更新サイクルの短い携帯端末側とのインターフェイスのギャップを解消出来、技術の進歩に合わせた更新が容易になる。
【産業上の利用可能性】
【００１４】
本発明は、ＰＨＳで処理する程のデータ量は必要なく、安価なシステムの要求のある、メータの無線検針システムや、自動販売機での売上機種管理、パチンコでのつり銭の管理等の各種の産業で利用可能である。
【図面の簡単な説明】
【００１５】
【図１】本発明のテレメータリングシステムの構成例を示す説明図である。
【図２】従来のＰＨＳ、を使ったテレメータリングシステムの構成例を示す説明図である。
【符号の説明】
【００１６】
１０・・・パーソナルコンピュータやホストコンピュータ等のデータ処理機器、
２０・・・無線通信規格Ｂｌｕｅｔｏｏｔｈ に準拠した通信カード、
３０・・・無線通信プロトコール変換機、
４０・・・無線子機、
５０・・・水道、電力等の使用量を計測するメータ、
６０・・・空調設備の遠隔御機器、
７０・・・携帯端末、
８０・・・データ処理機器１０や携帯端末７０のデータのプリントを行うプリンタ、
【図１】
2006054682.tif 000003
【図２】
2006054682.tif 000004